(57)【要約】【課題】  在庫食材の総合的コストパフォーマンス評価による優先消費食材の提示と、価格と消費者の不足栄養素補給とのバランスであるコストパフォーマンスを最良にする購入推奨食材の提示とを、同時に実現することによって、消費者の食材の購入から消費までの過程を最適化する冷蔵庫を提供することを目的とする。【解決手段】  利用者の食材購入情報をキャッシュレジスタから、記憶媒体または通信網を介して取得し、利用者が入力する食材消費情報に基づいて、食材在庫情報を生成し、栄養素データベースへの問い合わせによって、利用者への補給推奨栄養素を決定し、候補食材を決定し、栄養素データベースへ問い合わせすることによって、利用者への補給推奨栄養素を決定し、候補食材を決定し、栄養充足率と販売価格データベースから取得した販売価格とに基づいて、利用者に購入推奨食材を提示する冷蔵庫である。【選択図】  図１
2006090646.tif 000002
【特許請求の範囲】
【請求項１】
記憶媒体を介して、キャッシュレジスタから食材購入情報を受信する食材購入情報受信手段と；
上記食材購入情報と、購入者が入力した食材消費情報とに基づいて算出される食材在庫情報を記憶する食材在庫情報記憶手段と；
上記食材在庫情報に関する栄養素を、栄養素データベースヘ問い合わせる栄養素問合わせ手段と；
上記問い合わせ結果に基づいて、消費者へ補給する推奨栄養素を決定し、この決定された推奨栄養素に対応する候補食材を決定する候補食材決定手段と；
上記候補食材の価格を、販売店の商品価格データベースに問い合わせる候補食材価格問合せ手段と；
消費者に応じて、上記候補食材価格問合せ手段が得た販売価格と、消費者に補給すべき栄養素の量に対する充足できる栄養素の量である栄養充足率とに応じて、消費者が次回購入に最適な食材である購入推奨食材を提示する購入推奨食材提示手段と；
を有することを特徴とする冷蔵庫。
【請求項２】
記憶媒体を介して、キャッシュレジスタから食材購入情報を受信する食材購入情報受信手段と；
上記食材購入情報と、購入者が入力した食材消費情報とに基づいて算出される食材在庫情報を記憶する食材在庫情報記憶手段と；
上記食材在庫情報に関する栄養素を、栄養素データベースヘ問い合わせる栄養素問合わせ手段と；
上記食材購入情報に含まれている販売価格と、上記栄養素データベースヘ問い合わせた栄養素であって消費者に補給すべき栄養素の量に対する充足できる栄養素の量である栄養充足率と、賞味期限の経過情報とに応じて、消費者にとって最優先消費が望ましい食材である優先消費食材を提示する優先消費食材提示手段と；
を有することを特徴とする冷蔵庫。
【請求項３】
通信網を介して、キャッシュレジスタから食材購入情報を受信する食材購入情報受信手段と；
上記食材購入情報と、購入者が入力した食材消費情報とに基づいて算出される食材在庫情報を記憶する食材在庫情報記憶手段と；
上記食材在庫情報に関する栄養素を、栄養素データベースヘ問い合わせる栄養素問合わせ手段と；
上記問い合わせ結果に基づいて、消費者へ補給する推奨栄養素を決定し、この決定された推奨栄養素に対応する候補食材を決定する候補食材決定手段と；
上記候補食材の価格を、販売店の商品価格データベースに問い合わせる候補食材価格問合せ手段と；
消費者に応じて、上記候補食材価格問合せ手段が得た販売価格と、消費者に補給すべき栄養素の量に対する充足できる栄養素の量である栄養充足率とに応じて、消費者が次回購入に最適な食材である購入推奨食材を提示する購入推奨食材提示手段と；
を有することを特徴とする冷蔵庫。
【請求項４】
通信網を介して、キャッシュレジスタから食材購入情報を受信する食材購入情報受信手段と；
上記食材購入情報と、購入者が入力した食材消費情報とに基づいて算出される食材在庫情報を記憶する食材在庫情報記憶手段と；
上記食材在庫情報に関する栄養素を、栄養素データベースヘ問い合わせる栄養素問合わせ手段と；
上記食材購入情報に含まれている販売価格と、上記栄養素データベースヘ問い合わせた栄養素であって消費者に補給すべき栄養素の量に対する充足できる栄養素の量である栄養充足率と、賞味期限の経過情報とに応じて、消費者にとって最優先消費が望ましい食材である優先消費食材を提示する優先消費食材提示手段と；
を有することを特徴とする冷蔵庫。
【請求項５】
請求項１または請求項３において、
長期的な購入履歴情報を記憶する長期的購入履歴情報記憶手段と；
上記長期的購入履歴情報記憶手段に記憶されている購入履歴情報に基づいて、購入推奨食材の購入履歴回数を表示する購入履歴回数表示手段と；
を有することを特徴とする冷蔵庫。
【請求項６】
請求項５において、
上記購入履歴回数表示手段は、上記長期的購入履歴情報記憶手段に記憶されている購入履歴情報に基づいて、購入履歴回数の多い購入推奨食材と、購入履歴回数の少ない購入推奨食材とを分けて表示する手段であることを特徴とする冷蔵庫。
【請求項７】
請求項１、３、５、６のいずれか１項において、
上記購入推奨食材の情報を携帯端末に送信する送信手段を有することを特徴とする冷蔵庫。
【請求項８】
請求項１、３、５、６のいずれか１項において、
上記購入推奨食材の情報を小型メモリに記録する記録手段を有することを特徴とする冷蔵庫。
【発明の詳細な説明】
【技術分野】
【０００１】
本発明は、食品の在庫管理機能を有する在庫管理冷蔵庫に関する。
【背景技術】
【０００２】
従来、在庫管理機能付き冷蔵庫として、一般的に、レシートに含まれている食材購入情報を冷蔵庫に記憶させることによって、在庫管理する冷蔵庫が知られている。
【０００３】
具体的には、レシート記載情報をスキャンし、在庫を管理する冷蔵庫（たとえば、非特許文献１参照）が知られ、また、商品入庫の際に識別票を貼り付けることによって、在庫管理を実現する冷蔵庫（たとえば、非特許文献２）が考えられている。また、キャッシュレジスタから、近距離通信手段や無線通信手段、非接触ＩＣカードの電磁誘導等によって、食材購入情報を記録することが考えられている。
【０００４】
これらの技術は、食材消費者が食材購入情報を手軽に管理することを実現し、冷蔵庫に収納されている商品を、容易に知る手段を提供し、購入済商品の期限内消費、商品の二重購入防止に寄与している。
【０００５】
また、従来、食材管理方法として、食材在庫情報等に基づいて献立を提案する献立提案システムが知られている。この献立提案システムでは、賞味期限等の食材情報に基づいて、食材を無駄にしないような献立の検索を可能にしている（たとえば、非特許文献３）。これらの技術は、消費者の食材選択、献立決定に貢献している。
【非特許文献１】“ＩＴｍｅｄｉａ  Ｎｅｗｓ”（ＵＲＬ：http://www.itmedia.co.jp/news/0107/18/pana_sol.html）
【非特許文献２】“ＩＴｍｅｄｉａ  Ｄｉｃｔｉｏｎａｒｙ”（ＵＲＬ：http://www.itmedia.co.jp/dict/it/society/ubiquitous/03728.html）
【非特許文献３】ＭＥＧＡＳＯＦＴ“わが家の家計簿＆料理”（ＵＲＬ：http://www.megasoft.co.jp/wagaya/kr/index.html）
【非特許文献４】株式会社東芝“ＩＴ冷蔵庫”（ＵＲＬ：http://feminity.Toshiba.co.jp/feminity/series/refrigerator/index.html）
【発明の開示】
【発明が解決しようとする課題】
【０００６】
食材について、主婦を中心とする一般消費者が最も関心を持つ要素は、「栄養」と「コスト」とである。上記従来の在庫管理機能付き冷蔵庫は、購入済商品の期限内消費や二重購入防止等、食材コスト抑制に寄与している。
【０００７】
また、上記従来の食材管理方法は、栄養面を加味した食材選択に貢献している。
【０００８】
しかし、一般消費者にとって最も重要なことは「栄養」と「コスト」とを、「最適に両立」させることである。これに対し、従来例またはその単なる組み合わせでは、食材保管期間、食材価格や食材に含まれる栄養素という異質データが、別々に提示されるだけであり、栄養とコストとのデータが統合され、また、食材の総合的コストパフォーマンスが評価・提示されていないという問題がある。
【０００９】
また、消費者が、栄養とコストとを最適な形で両立させる食材利用を行うためには、上記食材に関する総合的コストパフォーマンスが、在庫食材の消費の場面と、今後の食材購入の場面という２つの場面で判定され、家庭内在庫についての優先消費食材の提示が必要であり、また、次回以後の買い物における購入推奨食材の提示が必要であるが、この双方が実装された冷蔵庫は存在しない。
【００１０】
この結果、上記従来例では、在庫食材に関して、消費者が栄養素や価格という異種のデータに目を通した後に、自ら優先的に消費すべき食材を見極めなければならず、総合的に、最も有益な選択消費がなされることが少ないという問題がある。
【００１１】
また、上記従来例では、食材購入の場面において、一般に消費者が自身に足りない栄養素を判定し、今後摂取する栄養のバランスを考えることは難しいという問題があり、また、消費者は、商品の実勢価格についても考慮しなければならず、複数異種の要素を総合的に勘案した上で、個々人にとって最も有益な食材を選択購入することは非常に困難であるという問題がある。
【００１２】
本発明は、在庫食材の総合的コストパフォーマンス評価による優先消費食材の提示と、価格と消費者の不足栄養素補給とのバランスであるコストパフォーマンスを最良にする購入推奨食材の提示とを、同時に実現することによって、消費者の食材の購入から消費までの過程を最適化する冷蔵庫を提供することを目的とする。
【課題を解決するための手段】
【００１３】
本発明は、在庫管理機能を有する冷蔵庫に関し、利用者の食材購入情報をキャッシュレジスタから、記憶媒体または通信網を介して取得し、利用者が入力する食材消費情報に基づいて、食材在庫情報を生成し、栄養素データベースへの問い合わせによって、利用者への補給推奨栄養素を決定し、候補食材を決定し、栄養素データベースへ問い合わせすることによって、利用者への補給推奨栄養素を決定し、候補食材を決定し、栄養充足率と販売価格データベースから取得した販売価格とに基づいて、利用者に購入推奨食材を提示する冷蔵庫である。
【００１４】
また、本発明は、記憶媒体を介して、キャッシュレジスタから食材購入情報を受信し、上記食材購入情報と、購入者が入力した食材消費情報とに基づいて食材在庫情報を算出し、記憶し、上記食材在庫情報に関する栄養素を、栄養素データベースヘ問い合わせ、上記食材購入情報に含まれている販売価格と、上記栄養素データベースヘ問い合わせた栄養素であって消費者に補給すべき栄養素の量に対する充足できる栄養素の量である栄養充足率と、賞味期限の経過情報とに応じて、消費者にとって最優先消費が望ましい食材である優先消費食材を提示する冷蔵庫である。
【発明の効果】
【００１５】
本発明によれば、在庫食材の総合的コストパフォーマンス評価による優先消費食材の提示と、価格と消費者の不足栄養素補給とのバランスであるコストパフォーマンスを最良にする購入推奨食材の提示とを、同時に実現することによって、消費者の食材の購入から消費までの過程を最適化することができるという効果を奏する。
【発明を実施するための最良の形態】
【００１６】
発明を実施するための最良の形態は、以下の実施例である。
【実施例１】
【００１７】
図１は、本発明の実施例１である冷蔵庫１００を示す全体構成図である。
【００１８】
冷蔵庫１００は、携帯端末Ｔ１を介して、食材販売店ＳＴ１に設けられているキャッシュレジスタＣＲ１と接続されている。また、冷蔵庫１００は、通信網ＮＷ１を介して、食材栄養素情報データベースＤＢ１に接続され、通信網ＮＷ２を介して、食材販売店ＳＴ１に設けられている商品価格情報データベースＤＢ２に接続される。
【００１９】
なお、携帯端末Ｔ１の代わりに、専用カード、情報受信端末、情報受信媒体を使用するようにしてもよい。
【００２０】
冷蔵庫１００は、食材購入情報受信手段１０と、食材消費情報入力手段２０と、在庫情報作成手段３０と、時間記録手段３１と、第１のデータベース問い合わせ手段４１と、第２のデータベース問い合わせ手段４２と、情報追加手段４３と、冷蔵庫在庫推奨消費食材評価手段５０と、不足栄養素判定手段６０と、販売店在庫食材コストパフォーマンス評価・判定手段７０と、表示手段８０とを有する。
【００２１】
食材購入情報受信手段１０は、携帯電話等の情報通信端末やカード型メモリを介して、キャッシュレジスタＣＲ１から購入商品に関する価格等複数の情報を受信する。
【００２２】
在庫情報作成手段３０は、消費情報入力手段２０を介して、食材購入者が入力した消費情報と、情報受信手段１０を介して、入力した食材購入情報と、時間記録手段３１が出力する時間記録情報に応じた在庫期間情報とに基づいて、在庫情報を作成する。
【００２３】
第１のデータベース問い合わせ手段４１は、在庫食材の含有栄養素情報を外部ネットワークＮＷ１上に存在する食材栄養素データベースＤＢ１に問い合わせる。
【００２４】
情報追加手段４３は、栄養素データベース問い合わせ手段４２が、食材栄養素情報データベースＤＢ１に問い合わせた含有栄養素情報を、食材在庫情報に追加する手段である。
【００２５】
冷蔵庫在庫推奨消費食材評価手段５０は、統合された情報に基づいて、在庫食材のコストパフォーマンスを評価する。
【００２６】
不足栄養素判定手段６０は、在庫食材の栄養素の含有バランスに基づいて、不足栄養素を判定する。
【００２７】
第２のデータベース問い合わせ手段４２は、不足栄養素判定手段６０が判断した不足栄養素情報に基づいて、外部ネットワークＮＷ１上に存在する食材栄養素データベースＤＢ１に、不足栄養素を補う有力候補食材を、再度問い合わせる。
【００２８】
データベース問い合わせ手段は、上記有力候補食材について、外部ネットワークＮＷ２上に存在する消費者居住地近隣の食材小売店ＳＴ１に設けられている商品価格データベースＤＢ２に問い合わせる。
【００２９】
販売店在庫食材コストパフォーマンス表記・判定手段７０は、価格と栄養素データとから、消費者にとってコストパフォーマンスが最良となる小売店販売食材を総合的に判定する。
【００３０】
表示手段８０は、在庫食材についてのコストパフォーマンス評価と、小売店販売食材のコストパフォーマンス評価とに基づいて、優先消費食材リストと購入推奨食材リストとを表示する。なお、上記「優先消費食材リスト」は、図５のディスプレイ上に示すリストであり、上記「購入推奨食材リスト」は、図６のディスプレイ上に示すリストである。
【００３１】
次に、冷蔵庫１０の動作について説明する。
【００３２】
図２は、冷蔵庫１００の動作を示すフローチャートである。
【００３３】
消費者が、所定の食材を購入すると（Ｓ１）、その会計時に、キャッシュレジスタＣＲ１から、品名、購入日、賞味期限、価格、重量、数量等、在庫管理に有用な食材購入情報が、消費者の携帯端末Ｔ１に、送信され、食材購入情報を受信し（Ｓ２）、またはカード型メモリに記録される。
【００３４】
消費者は、帰宅後、携帯端末Ｔ１から、冷蔵庫１００の情報受信手段１０に、食材購入情報を送信するか、または、食材購入情報が書き込まれているカード型メモリからその食材購入情報を、情報受信手段１０に読み取らせ、冷蔵庫１００は、受信した食材購入情報に基づいて、食材在庫情報リストを作成、記憶する。
【００３５】
また、在庫食材リストとして記憶された日時が記録され、その後に、定期的に、時間記録手段３１が、時間経過情報を更新する。消費者は、食材をある程度消費した場合（Ｓ３）、この消費した食材の情報を、食材消費情報入力手段２０が、入力する。完全に消費した場合、上記と同様に、食材消費情報入力手段２０によって、食材在庫情報リストから当該食品を削除する。このようにして、食材在庫情報を更新する（Ｓ４）。
【００３６】
上記作業によって更新された食材在庫情報リストに含まれている新規購入各食材について、外部ネットワークＮＷ１上に存在する食材栄養素情報データベースＤＢ１に、栄養素データベース問い合わせ手段４２が、含有栄養素情報を問い合わせる（Ｓ５）。その後に、問い合わせた結果（含有栄養素情報）を受信し（Ｓ６）、この問い合わせた含有栄養素情報を、情報追加手段４３が、食材在庫情報に追加する。
【００３７】
上記追加食材在庫情報リストに基づいて、不足栄養素判定手段６０が、消費者の栄養摂取バランスを推測し、少なくとも１つの不足栄養素を決定する（Ｓ７）。
【００３８】
不足栄養素判定手段６０は、たとえば厚生労働省発表の第６次改定日本人栄養所要量（http://www1.mhlw.go.jp/shingi/s9906/s0628-1_11.html）に基づいて、適性栄養摂取バランスを算出し、そのバランスを大きく乱す栄養素を特定する。上記厚生労働省発表の第６次改定日本人栄養所要量を使用する代わりに、日本人の標準的または理想的な栄養摂取バランスが判るデータであれば、他のデータを使用するようにしてもよい。
【００３９】
ここで、食材を購入するのか、消費するのかを判断する（Ｓ７ａ）。食材を購入する場合であれば、Ｓ８に進み、食材を消費する場合であれば、Ｓ１１に進む。
【００４０】
この不足栄養素情報から、食材栄養素情報データベースＤＢ１に、再び問い合わせを行い（Ｓ８）、消費者の栄養素を補う食材の候補リスト（不足栄養補充食材情報）を作成する。
【００４１】
この食材の候補リストに含まれている各候補食材について、近隣の食材販売店ＳＴ１の商品価格データベースＤＢ２に問い合わせ、候補食材の（対栄養充足率）コストパフォーマンスを算出し（Ｓ９）、当該指標に基づいて、購入推奨食材を、表示手段８０に提示する。候補食材のコストパフォーマンスＣＰを、たとえば次の式（１）に基づいて算出する。
【００４２】
ＣＰ＝Ｋ１＊Ｎｕ＊（Ｂｕ／（Ｐｒ＊Ｋ２）……式（１）
上記式（１）において、Ｎｕ＝栄養充足率、Ｐｒ＝特定食材販売店ＳＴ１における食材価格、Ｂｕ＝家計内における食材購入予算、Ｋ１、Ｋ２＝調整パラメータである。食材は、候補食材のコストパフォーマンスＣＰの値によって順位付けされ、表示手段８０に提示される。なお、栄養充足率Ｎｕは、消費者に補給すべき栄養素の量に対する充足できる栄養素の量である。
【００４３】
候補食材のコストパフォーマンスＣＰの値が大きい食材であれば、より低コスト高パフォーマンスの食材であることを示し、購入を推奨すべき食材である購入推奨食材である。この購入推奨食材を、表示装置８０に出力する（Ｓ１０）。
【００４４】
候補食材のコストパフォーマンスＣＰの算出式は、上記式（１）と同一でなくてもよく、栄養充足率が、候補食材のコストパフォーマンスＣＰを大きくすることに寄与し、高い食材価格が、候補食材のコストパフォーマンスＣＰを小さくすることに寄与し、家計内における食材購入予算が、食材価格のコストパフォーマンスＣＰに与える影響を小さくすることに寄与する式であれば、上記式（１）以外の式を使用するようにしてもよい。
【００４５】
これによって、候補食材のコストパフォーマンスＣＰの大きいものが購入推奨食材として、表示手段８０に提示され、消費者は、表示手段８０を見れば、価格が安く、栄養面から見て有益な食材の購入が促され、コストを最小限に抑えることができる。
【００４６】
一方、在庫食材についても、これまでの在庫履歴から、各在庫食材の栄養充足率Ｎｕを算出し、さらに購入価格Ｐｒ、家計内食材予算Ｂｕ、在庫期間Ｐｅ、賞味期限Ｆｄ、購入日Ｄ、調整パラメータＫ３、Ｋ４、Ｋ５から、たとえば、次の式（２）に基づいて、早期消費推奨指標ＲＩＥＣを算出する（Ｓ１１）。なお、  早期消費推奨指標ＲＩＥＣは、その値が大きい程、高コスト高パフォーマンスの食材であり、優先的に消費すべき食材であることを示す指標である。
【００４７】
ＲＩＥＣ＝Ｋ３＊Ｎｕ＊（Ｐｒ／（Ｂｕ＊Ｋ４））＊（Ｐｅ／（（Ｆｄ−Ｄ）＊Ｋ５））……式（２）
そして、消費推奨食材を出力する（Ｓ１２）。なお、早期消費推奨指標ＲＩＥＣが大きい食材が、優先消費推奨食材である。
【００４８】
栄養充足率が高い程、早期消費推奨指標ＲＩＥＣが大きくなり、食材価格が高い程、早期消費推奨指標ＲＩＥＣが大きくなり、家計内における食材購入予算が多い程、食材価格の早期消費推奨指標ＲＩＥＣが小さくなり、購入日と賞味期限とから算出される残余賞味期間が長い程、早期消費推奨指標ＲＩＥＣが小さくなり、在庫期間が短い程、早期消費推奨指標ＲＩＥＣが大きくなる式を、上記式（２）（早期消費推奨指標ＲＩＥＣの算出式）の代わりに使用するようにしてもよい。
【００４９】
上記のようにすることによって、早期消費推奨指標ＲＩＥＣの大きい食材が、優先消費食材として、表示手段８０に提示され、消費者は、価格が高く、栄養面から見て有益で、在庫期間が長い食材を、早く消費するように促され、栄養面で利益を最大限享受しながら、経済的損失を最小限に抑えることができる。
【００５０】
これらの優先消費食材や購入推奨食材は、在庫情報が更新される毎に、表示手段８０に表示され、消費者は、コスト面と栄養面との両面から最適な食材の在庫消費と新規購入とを達成することができる。
【００５１】
次に、実施例１において、冷蔵庫１００の使い方の手順について説明する。
【００５２】
図３は、冷蔵庫１００の概観を示す図である。
【００５３】
冷蔵庫１００の表面には、情報受信手段１０と、食材消費情報入力手段２０と、表示手段８０とが設けられている。
【００５４】
消費者が買い物を終了し、会計する際に、持参した携帯端末Ｔ１またはスーパー発行の専用カード等を情報受信手段１０に、接続または挿入することによって、食材購入情報を、情報受信手段１０が受信する。つまり、この消費者は、帰宅後、情報受信手段１０を使用し、食材購入情報を、冷蔵庫１００に送信する。これによって、冷蔵庫１００における在庫情報が更新される。
【００５５】
図４は、冷蔵庫１００における現在の全在庫情報の例を示す図である。
【００５６】
図４に示すように、表示手段８０の電源を入れた後に、「全在庫リスト」のボタンを押すと、冷蔵庫１００における現在の全在庫情報が、表示手段８０に表示される。
【００５７】
図５は、冷蔵庫１００において、在庫中の食材のうちで、高コスト高パフォーマンスの食材例を示す図である。
【００５８】
「優先消費食材」のボタンを押すと、図５に示すように、在庫中の食材のうちで、高コスト高パフォーマンスの食材が、表示手段８０に表示され、消費が促される。
【００５９】
これによって、金銭面と栄養面との両面から、最も損失の少ない食材消費が実現される。
【００６０】
一方、「購入推奨食材」のボタンを押すと、低コスト高パフォーマンスの食材を購入することが促される。
【００６１】
図６は、冷蔵庫１００において、在庫中の食材のバランスから、鉄分とビタミンＢ２とを補う必要があると判定された場合の表示例である。
【００６２】
この場合、鉄分とビタミンＢ２とをそれぞれ補うに際して、有効かつ低価格な食材購入が促進される。
【実施例２】
【００６３】
図７は、本発明の実施例２である冷蔵庫２００の構成を示すブロック図である。
【００６４】
冷蔵庫２００は、基本的には、冷蔵庫１００と同じであり、冷蔵庫１００における情報受信手段１０の代わりに、食材購入情報受信手段１１を設けたものである。
【００６５】
食材購入受信手段１１は、キャッシュレジスタＣＲ１から、外部通信網ＮＷ３を介して、食材購入情報を、直接、受信する手段である。
【００６６】
つまり、冷蔵庫２００は、冷蔵庫１００において携帯端末Ｔ１または専用カード等を用いて、食材購入情報を受信することに替えて、外部通信網ＮＷ３を介して、食材購入情報を、食材購入受信手段１１が直接、受信する冷蔵庫である。
【００６７】
冷蔵庫２００によれば、冷蔵庫１００よりも、消費者の作業量をさらに減らし、コスト面と栄養面との両面から、最適な食材の在庫消費と新規購入とを達成することができる。
【実施例３】
【００６８】
本発明の実施例３は、冷蔵庫１００、２００に、長期的な購入履歴情報の記憶手段を加え、この記憶手段に記憶されている購入履歴情報に基づいて、購入推奨食材を、表示手段８０に提示する際に、購入履歴回数を同時に表示する実施例である。
【００６９】
購入履歴回数を表示せず、購入履歴の多い購入推奨食材と購入履歴の少ない購入推奨食材とを、順位付けして表示するようにしてもよい。つまり、購入履歴の多い順、または少ない順に表示するようにしてもよい。
【００７０】
一般的に、消費者は買い慣れた食材に目が行き易いので、買い慣れた食材を再度購入する傾向が強く、摂取食材の多様性が固定化している。
【００７１】
しかし、実施例３によれば、消費者は、低コスト高パフォーマンスである食材であり、しかも、これまで気に留めていなかった食材の情報を知るきっかけが提供され、これまで気に留めていなかった食材を選択購入することによって、食生活の多様性が高まる。
【実施例４】
【００７２】
本発明の実施例４は、実施例１、２、３の構成に、冷蔵庫１００からの購入推奨食材情報の送信手段を付加し、携帯端末Ｔ１で、上記購入推奨食材情報を受信し、購入推奨食材情報を、携帯端末Ｔ１において提示する実施例である。
【００７３】
実施例４によれば、自宅外でも購入推奨食材情報を確認することができ、消費者にとって、低コスト高パフォーマンスの食材を、より容易に購入することができる。
【００７４】
購入推奨食材情報を、ＩＣカードやＳＤカード等、小型メモリに記憶するようにしてもよい。この場合、消費者は、販売店に設置されている小型メモリ対応装置に、上記小型メモリを接続し、そのディスプレイを見ることによって、購入推奨食材情報を確認することができるようにしてもよい。
【００７５】
つまり、上記実施例は、食材購入情報の入力または送信と、食材の消費に伴う情報更新を経た食材在庫情報を元に、外部ネットワーク上の栄養素データベースＤＢ１と食材販売店ＳＴ１の商品価格データベースＤＢ２とを利用し、家庭冷蔵庫の在庫食材コストパフォーマンス評価による優先消費食材の提示と、販売店在庫食材コストパフォーマンス評価による購入推奨食材の提示とを行う。
【００７６】
これによって、食材消費者は、食材購入時の食材購入情報送信と、食材消費時の消費情報入力との単純な作業のみを実行することによって、優先消費在庫食材と購入推奨食材とを知ることができ、消費者にとって、総合的に最も有益な食材在庫管理が可能になる。
【００７７】
上記実施例によれば、在庫食材の総合的コストパフォーマンス評価による優先消費食材の提示と、価格と消費者の不足栄養素補給とのバランスであるコストパフォーマンスを最良にする購入推奨食材の提示とを、同時に実現することによって、消費者による食材の購入から消費までの過程を、最適化することができる冷蔵庫を提供することができる。
【００７８】
これは、家庭冷蔵庫内在庫について、高コスト高パフォーマンスの食材、すなわち高価で消費者に有益な栄養素を多く含む食材を無駄にすることがないように、賞味期限内の消費を促すことができ、また、今後の購買活動において、低コスト高パフォーマンスの食材、すなわち低価格で消費者の栄養バランスを是正する効果をより大きく持つ食材の購買を促すことができる。
【図面の簡単な説明】
【００７９】
【図１】本発明の実施例１である冷蔵庫１００を示す全体構成図である。
【図２】冷蔵庫１００の動作を示すフローチャートである。
【図３】冷蔵庫１００の概観を示す図である。
【図４】冷蔵庫１００における現在の全在庫情報の例を示す図である。
【図５】冷蔵庫１００において、在庫中の食材のうちで、高コスト高パフォーマンスの食材例を示す図である。
【図６】冷蔵庫１００において、在庫中の食材のバランスから、鉄分とビタミンＢ２とを補う必要があると判定された場合の表示例である。
【図７】本発明の実施例２である冷蔵庫２００の構成を示すブロック図である。
【符号の説明】
【００８０】
１００、２００…冷蔵庫、
１０、１１…食材購入情報受信手段、
２０…食材消費情報入力手段、
３０…在庫情報作成手段、
３１…時間記録手段、
４１…第１のデータベース問い合わせ手段、
４２…第２のデータベース問い合わせ手段、
４３…情報追加手段、
５０…冷蔵庫在庫推奨消費食材評価手段、
６０…不足栄養素判定手段、
７０…販売店在庫食材コストパフォーマンス評価・判定手段、
８０…表示手段、
ＤＢ１…食材栄養素情報データベース、
ＤＢ２…商品価格情報データベース。
【図１】
2006090646.tif 000003
【図２】
2006090646.tif 000004
【図３】
2006090646.tif 000005
【図４】
2006090646.tif 000006
【図５】
2006090646.tif 000007
【図６】
2006090646.tif 000008
【図７】
2006090646.tif 000009